(57)【要約】【課題】水槽部の挿入時における引っ掛かりをなくしスムーズかつ安定した挿入を可能とすることができ、さらに水槽部が装着された状態において、本体内部に吸込んだ空気を無駄なく気化フィルタに通過させ高い加湿効率を発揮できる加湿装置を提供すること。【解決手段】本体１の挿入口５より挿脱自在に装着され、本体１への挿脱方向に長手形状をなし、挿入口５の開口よりも上下方向に広い外装面１４を備えた水槽部６と、送風経路に送風する送風機１９と、水槽部６に一定量貯えられる水に下部が浸された状態で送風経路中に設置される気化フィルタ８と、水槽部６が収容され、底面には挿入口５側から奥方向に一段高くなる段差を設けた水槽収容部７とを備えた加湿装置において、水槽収容部７の段差の起立面１７が傾斜するとともに、水槽部６が装着された状態では、水槽部６の先端面１２と水槽収容部７の最奥面１８とが隙間ができないように当接することとした。【選択図】図４
2015017775.tif 000002
【特許請求の範囲】
【請求項１】
本体に設けられた挿入口より挿脱自在に装着され、前記本体への挿脱方向に長手形状をなし、前記挿入口の開口よりも上下方向に広い外装面を備えた水槽部と、吸込口と吹出口を連通する送風経路に送風する送風機と、前記水槽部に一定量貯えられる水に下部が浸された状態で送風経路中に設置される気化フィルタと、前記水槽部が収容され、底面には前記挿入口側から奥方向に一段高くなる段差を設けた水槽収容部とを備えた加湿装置において、前記水槽収容部の段差の起立面が傾斜するとともに、前記水槽部が装着された状態では、前記水槽部の先端面と前記水槽収容部の最奥面とが隙間ができないように当接することを特徴とする加湿装置。
【請求項２】
前記水槽部外装面は、前記本体に前記水槽部が装着された際には前記挿入口を閉塞することを特徴とする請求項１記載の加湿装置。
【請求項３】
前記水槽収容部の底面の奥側下部に電源コード取付部を設けたことを特徴とする請求項１または２記載の加湿装置。
【発明の詳細な説明】
【技術分野】
【０００１】
本発明は、室内の乾燥を防止するための加湿装置に関するものである。
【背景技術】
【０００２】
特許文献１に示す従来の加湿装置は、加湿装置本体の下方に受液部である水槽部が挿脱自在に設けられており、この水槽部には気化促進材である気化フィルタが下部を水槽部内の水に浸漬した状態で設置されている。水槽部が装着された状態において、水槽部を介して加湿装置本体内部に吸込口と吹出口を連通する送風経路が形成され、吸込口から取り込んだ室内空気を気化フィルタに通過させる際に加湿空気として吹出口から排出する。また、水槽部の形状は加湿装置本体への挿脱する方向に長手形状となっている。
【先行技術文献】
【特許文献】
【０００３】
【特許文献１】特開２００７−３０９６１０号公報
【発明の概要】
【発明が解決しようとする課題】
【０００４】
このような水槽部を備える加湿装置においては、その長手形状のために水槽部が水平を保つように挿入するのが難しく、挿入する際に水槽部がふらついたり、加湿装置本体に水槽部を収容する水槽収容部の内壁にぶつかったりと挿入が不安定になることがあり、水槽部内に水がある場合には水槽部からこぼれることがあった。なお、水槽部を安定した姿勢で挿入できるように、水槽収容部の底面に水槽部の挿入口から奥方向に一段高くなる段差を設けることで水槽部の先端を下から支えて、水槽部の姿勢を略水平に保つものもあるが、挿入時に水槽部の先端がこの段差の起立面にぶつかって引っ掛かってしまい、スムーズに挿入できないという問題があった。
【０００５】
そこで、図６のように、水槽収容部の内壁に当接する水槽部の先端に面取り部を設けたり、先端に向かって細くなる形状にしたりすることでスムーズに水槽部を挿入できるようにしているが、このような形状の水槽部が装着された状態では水槽部と水槽収容部の内壁との間に隙間が生じてしまう。水槽部と水槽収容部の内壁との間に隙間が生じると、気化フィルタを通過する送風経路よりも圧力損失の小さい隙間の方に空気は流れやすくなる。これにより、この隙間を通じて送風経路以外に空気が漏れてしまうため、気化フィルタを通過せずに空気が室内に排出され、加湿効率の低下を生じてしまう。以上のことから、水槽部の挿入しやすさと加湿効率の向上との両立が課題となっていた。
【０００６】
本発明は上記課題を解決するためのもので、水槽部の挿入時における引っ掛かりをなくしスムーズかつ安定した挿入を可能とすることができ、さらに水槽部が装着された状態において、本体内部に吸込んだ空気を無駄なく気化フィルタに通過させ高い加湿効率を発揮できる加湿装置を提供することを目的とする。
【課題を解決するための手段】
【０００７】
本発明は、本体に設けられた挿入口より挿脱自在に装着され、前記本体への挿脱方向に長手形状をなし、前記挿入口の開口よりも上下方向に広い外装面を備えた水槽部と、吸込口と吹出口を連通する送風経路に送風する送風機と、前記水槽部に一定量貯えられる水に下部が浸された状態で送風経路中に設置される気化フィルタと、前記水槽部が収容され、底面には前記挿入口側から奥方向に一段高くなる段差を設けた水槽収容部とを備えた加湿装置において、前記水槽収容部の段差の起立面が傾斜するとともに、前記水槽部が装着された状態では、前記水槽部の先端面と前記水槽収容部の最奥面とが隙間ができないように当接することを特徴とする加湿装置に係わるものである。
【０００８】
また、前記水槽部外装面は、前記本体に前記水槽部が装着された際には前記挿入口を閉塞することを特徴とする請求項１記載の加湿装置に係わるものである。
【０００９】
また、前記水槽収容部の底面の奥側下部に電源コード取付部を設けたことを特徴とする請求項１または２記載の加湿装置に係わるものである。
【発明の効果】
【００１０】
上述の構成にすることにより、水槽部の挿入時における引っ掛かりをなくしスムーズかつ安定した挿入を可能とすることができ、さらに水槽部が装着された状態において本体内部に吸込んだ空気を無駄なく気化フィルタに通過させるので、高い加湿効率を発揮することができる。
【図面の簡単な説明】
【００１１】
【図１】本発明における加湿装置の外観斜視図である。
【図２】本発明における加湿装置における気化フィルタ設置時の水槽部の上面図および側面図である。
【図３】本発明における加湿装置の水槽収容部を示す断面構成図である。
【図４】本発明における加湿装置の縦断面構成図である。
【図５】本発明における加湿装置における水槽部挿入過程を示す断面拡大図である。
【図６】従来の加湿装置における水槽部挿入過程を示す断面拡大図である。
【発明を実施するための形態】
【００１２】
好適と考える本発明の最良の形態を、本発明の作用効果を示して簡単に説明する。
【００１３】
本発明の加湿装置は、水槽収容部の段差の起立面を傾斜させるとともに、水槽部が装着された状態では水槽部の挿入方向の先端面と水槽収容部の最奥面とが隙間ができないように当接させるものである。つまり、水槽部を挿入するときに引っ掛かりを起こさないように段差に傾斜を設け、さらに水槽部が装着された状態においては気化フィルタに空気を通過させる送風経路以外への隙間を閉塞できるようにしたのである。
【００１４】
水槽部が挿脱方向に長手形状の場合、挿入方向の先端側が下に傾いて挿入されて水槽収容部の底面と接触してしまうことがあるが、段差に傾斜があることによって水槽部は引っ掛かることなくスムーズに挿入できるようになる。加えて、水槽部の先端面に面取り部を設けるなどの挿入しやすい形状にする必要がないので、水槽部の先端面の形状を水槽収容部の最奥面と当接したときには隙間ができない構成にできることから、本体内部に吸込んだ空気を無駄なく気化フィルタに通過させて加湿するので、高い加湿効率を得ることができるのである。
【００１５】
また、水槽部が本体に装着された状態で水槽部外装面が挿入口を閉塞することにより、加湿装置本体から外部への送風空気の漏れを防ぐことができるので、より一層、気化フィルタに空気を無駄なく通過させることができる。さらに、挿入口と水槽部外装面との合わせ目を隠すので、加湿装置の外観品質を低下させない。
【００１６】
また、水槽収容部の底面が一段高くなった箇所の下部に電源コードの取付位置を設けるものであり、水槽収容部の底面を高くしたことによってできた空間を有効に活用して電源コードを配置することができる。さらに、加湿装置の最下面から電源コードの引き回しを行なうようにしたことで加湿装置の重心が安定し、加湿装置本体が転倒しにくい構造にすることができる。
【実施例１】
【００１７】
以下、本発明の一実施例を図面により説明する。
【００１８】
図１は本発明における加湿装置の外観斜視図である。加湿装置は、本体１の正面および側面前部を形成する本体前枠１ａ、側面後部と背面を形成する本体後枠１ｂを有しており、本体１の天面には本体１内で加湿された加湿空気を室内に排出する吹出口２、運転スイッチ等が配置されている操作部３、図示しない給水タンクを本体１に着脱する際に開閉するタンクカバー４が設けられている。
【００１９】
本体１側面の下部には挿入口５が設けられ、この挿入口５を介して本体１内の下部には水槽部６を収容する空間となる水槽収容部７が形成されている。水槽部６は本体１への挿脱方向に長手形状となるように形成されており、挿入口５から水槽収容部７に挿脱自在に装着される。水槽部６には図示しない給水タンクから供給された水を吸水して湿潤する気化フィルタ８が設けられ、本体１背面に設けられた図示しない吸込口から取り込まれた室内空気を気化フィルタ８に通過させることで水槽部６の水を気化させて加湿空気として吹出口２から放出する。
【００２０】
図２は気化フィルタ８設置時の水槽部６の上面図（ａ）および側面図（ｂ）である。水槽部６の内部は底面より立設する仕切板９によって区画されており、水槽収容部７への挿入方向の先端側には気化フィルタ８が設置される気化フィルタ収容部１０が、手前側には図示しない給水タンクが装着される給水タンク収容部１１が区画形成される。なお、仕切板９は気化フィルタ８の高さよりも高く形成されている。また、気化フィルタ８は略直方体形状をなし、気化フィルタ８の側面が水槽部先端面１２と仕切板９に接するようにして配置される。さらに、水槽部先端面１２と仕切板９には気化フィルタ８の移動を規制する保持片１３が設けられており、気化フィルタ８を設置する際にはこの保持片１３を目印にして保持片１３の内側に上から挿入する。
【００２１】
水槽部６装着状態において本体１側面の一部を形成する水槽部外装面１４の上端は、仕切板９の高さよりも高く形成されており、また、この水槽部外装面１４の下部に形成される水槽部取っ手１５の下端は水槽部６の底面よりも下に突出するよう形成されている。このため、水槽部６を水平面に置くと、水槽部取っ手１５が突出している分だけ水槽部６は挿入方向の先端側が下に傾くことになる。
【００２２】
図３は水槽収容部７の断面構成図である。挿入口５開口の上辺および下辺には、本体１側面よりわずかに水槽収容部７内に入り込むようにして挿入口段差部１６ａおよび１６ｂが屈曲形成されており、水槽部６を本体１に装着すると、水槽部外装面１４の上端が挿入口段差部１６ａに、水槽部取っ手１５の下端が挿入口段差部１６ｂにそれぞれ当接して挿入口５が閉塞される。これにより、水槽部外装面１４が水槽部６と挿入口５との合わせ目のわずかな隙間を隠すので、合わせ目から加湿装置内部が見えることがなく加湿装置の外観品質を低下させない。
【００２３】
水槽収容部７の底面には、挿入口５から奥方向に入ると一段高くなる段差を設けており、この段差の起立面１７には傾斜が付いている。なお、この段差は、水槽部６を挿入する際に水槽部先端面１２を下から支えるものであり、挿入方向の先端側に傾きやすい水槽部６の姿勢を略水平に保つために設けている。水槽収容部７の最奥部には、水槽部６装着状態において水槽部先端面１２が当接する水槽収容部最奥面１８がある。
【００２４】
図４は水槽部６装着状態における加湿装置の縦断面構成図である。送風機１９の周囲には吹出口２と連通する送風ケース２０が取り付けられており、送風ケース外壁面２１と水槽部６の仕切板９とで略同一面が形成されている。これにより、本体１内部は送風ケース外壁面２１と仕切板９とによって、送風機１９が配置される送風経路空間２２と、図示しない給水タンクが収容される給水タンク収容空間２３の２つの空間に区画され、送風経路空間２２において、本体１背面に設けられた図示しない吸込口、気化フィルタ８、送風機１９、吹出口２の順に空気が通過する送風経路が送風ケース２０を介して形成される。また、水槽部先端面１２は水槽収容部最奥面１８に当接しており、水槽部先端面１２の形状が水槽収容部最奥面１８に沿って構成されているため、水槽部６装着状態では水槽部先端面１２と水槽収容部最奥面１８との間には隙間は生じない。
【００２５】
水槽収容部７の底面が一段高くなった箇所の下部には図示しない電源コードを固定する電源コード取付部２４が設けられ、水槽収容部７の底面を高くしたことでできた下部空間を有効に活用している。さらにこの電源コード取付部２４によって、加湿装置の最下面から電源コードの引き回しを行なうようにしたことで加湿装置の重心が安定するので、例えば電源コードに足が引っ掛かった場合にも加湿装置が転倒しにくい構造となる。
【００２６】
次に、上記構成からなる加湿装置において水槽部６を挿入する過程を図５を用いて説明する。水槽部６を本体１に挿入する際、挿入口５より水槽部６を滑らせるように水槽収容部７へと挿入する。水槽部６は挿脱方向に長手形状であり、さらに水槽部取っ手１５が水槽部６の底面よりも下に突出しているため、挿入方向の先端側が下に傾いた状態となる。この姿勢で水槽部６を挿入すると、水槽部６の下面が水槽収容部７底面と接触し、水槽部先端面１２が水槽収容部７底面に設けた段差起立面１７に当接する（図５（ａ））。しかし、段差起立面１７には傾斜が付いているため、水槽部６は傾斜に沿って段差を乗り上げる（図５（ｂ））ことができるので、水槽部６をスムーズに挿入することができるのである。なお、水槽部先端面１２は段差に乗り上がる（図５（ｃ））ことで水槽収容部７底面に支持されることになるため、水槽部６は挿入方向の先端側に傾くことなく略水平を保つことができ、安定した姿勢での挿入が可能となる。
【００２７】
さらに水槽部６の挿入を進めると、水槽部先端面１２が水槽収容部最奥面１８に当接して、本体１への水槽部６の装着が完了する。図４に示すように、水槽部６装着状態においては水槽部先端面１２は水槽収容部最奥面１８および水槽収容部７底面との間に隙間ができないように当接しているため、圧力損失の小さい隙間の方へ空気が漏れてしまうことがなくなるので、本体１内部に吸込んだ空気を無駄なく気化フィルタ８に通過させて加湿することができるため、加湿効率を向上させることができるのである。
【００２８】
また、水槽部６が本体１に装着された状態では水槽部外装面１４および水槽部取っ手１５が挿入口段差部１６ａおよび１６ｂに当接して閉塞することにより、本体１外部への空気の漏れを防ぐことができるので、より一層、本体1内部に吸い込んだ空気を無駄なく気化フィルタ８に通過させることができる。
【符号の説明】
【００２９】
１    本体
５    挿入口
６    水槽部
７    水槽収容部
８    気化フィルタ
１２    水槽部先端面
１４    水槽部外装面
１７    段差起立面
１８    水槽収容部最奥面
１９    送風機
２４    電源コード取付部
【図１】
2015017775.tif 000003
【図２】
2015017775.tif 000004
【図３】
2015017775.tif 000005
【図４】
2015017775.tif 000006
【図５】
2015017775.tif 000007
【図６】
2015017775.tif 000008